(57)【特許請求の範囲】
【請求項１】
換気かまちと、
前記換気かまちにより形成され、且つ、その室外側に設けられた第１の開口部と、
前記第１の開口部を開閉する第１の蓋部と、
前記換気かまちにより形成され、且つ、前記第１の蓋部より室内側に設けられた第２の開口部と、
前記第２の開口部を開閉する第２の蓋部と、
前記第２の蓋部が閉鎖状態のときに、第１の蓋部の第１の開口部に対する閉鎖状態を保持させると共に、第１の蓋部と第２の蓋部のそれぞれの開閉を連動させる連動部と、
前記第２の蓋部の閉鎖状態を保持させるロック部と、
前記ロック部のオン／オフを行うと共に、第２の蓋部を開閉する把手部を備えた建物用の換気装置であって、
前記ロック部は、前記第２の蓋部に回転自在に取付けられたロック本体と、このロック本体に取付けられ、且つ、換気かまち側に係着される係着部と、前記第２の蓋部が開放状態にあるときに、前記ロック本体の回動を規制する規制部からなることを特徴とすることを特徴とする換気装置。
【請求項２】
前記ロック部の室外側の端面は、第２の蓋部が閉鎖状態のときに前記第１の蓋部を圧着すると共に、その圧着個所は前記ロック部のロック力を増す位置であることを特徴とする請求項１に記載の換気装置。
【請求項３】
前記ロック部の第１の蓋部に対する圧着個所は、前記ロック部の回動中心である支持軸心を通る仮想線が前記支持軸心を中心にしてロック部を締付ける方向に傾斜することを想定した場合に、その締付方向に位置していることを特徴とする請求項１に記載の換気装置。
【請求項４】
第１及び第２の各蓋部が開放される場合に、第１及び第２の各開口部間には防虫ネットのみが介在されていることを特徴とする請求項１に記載の換気装置。
【請求項５】
窓に配置されていることを特徴とする請求項１に記載の換気装置。
【請求項６】
扉に配置されていることを特徴とする請求項１に記載の換気装置。
【請求項７】
建物壁面の開口に配置されていることを特徴とする請求項１に記載の換気装置。
【発明の詳細な説明】
【技術分野】
【０００１】
本発明は、窓、扉等の建物の開口に設置される換気装置に関する。
【背景技術】
【０００２】
建物の窓に設置される換気装置として、換気ユニットが窓のたて枠に内蔵されることなく、換気ユニットが窓の左右のたて枠の少なくとも一方に配置される換気機能付き窓が開示されている（特許文献１）。
この換気機能付き窓は、換気ユニットが窓のたて枠に内蔵される構造ではないため、各種形式の窓に対応可能で、かつ容易にメンテナンス可能であるとされている。
【特許文献１】特開２００５−３４４４２４
【０００３】
かかる換気機能付き窓の換気ユニットの特徴は、枠体の内側に回転可能に支持されたシリンダを回転させることにより、室内外の換気を行うこととされている。
特許文献１の図５及び段落００２５等の記載に基づき、換気ユニットの構造に従って換気の手順を説明すると次のようである。
即ち、つまみ部３５２Ｂを回転させると、シリンダ本体３５１が回転し、２つの側壁部３５１Ｅの連通孔３５１Ｆを介して室内空間と室外空間とが連通状態となる。その結果、外気は、パネル材３６と縦枠３３との間  →  室外側のシリンダ本体３５１の開口部３５１Ｃ  →  ２つの連通孔３５１Ｆ  →  フィルタ部材３５３を通って室内空間に流入する。
【０００４】
しかし、このような換気構造では、パネル材３６と縦枠３３との間から流入した外気は、アングルピース３６Ｂにあたって、その流路が略９０度の方向に変更されること、その外気は室外側のシリンダ本体３５１の上下に連続するスリット状の開口部３５１Ｃを通過させられること、さらに２つの連通孔３５１Ｆ及びフィルタ部材３５３を通過した外気が初めて室内側のシリンダ本体３５１の開口部３５１Ｃに到達すること等を指摘することができる。
その結果、確かに特許文献１の換気機能付き窓においては、室外から自然な外気を室内に導入させて自然換気ができるものの、換気量が少ないため、また外気の室外から室内への流路が複雑であるため、外気が室内の人の肌に触れる場合に感得される爽快感、清涼感、自然感に乏しいものとなっている。
【発明の開示】
【発明が解決しようとする課題】
【０００５】
そこで、本発明は、外気が室内の人の肌に触れる場合に生じる爽快感、清涼感、自然感を感得することができる大容量の換気を可能とする換気装置を提供することを主な目的とする。
【課題を解決するための手段】
【０００６】
上記課題を解決するため本発明に係る換気装置は、換気かまちと、前記換気かまちにより形成され、且つ、その室外側に設けられた第１の開口部と、前記第１の開口部を開閉する第１の蓋部と、前記換気かまちにより形成され、且つ、前記第１の蓋部より室内側に設けられた第２の開口部と、前記第２の開口部を開閉する第２の蓋部と、前記第２の蓋部が閉鎖状態のときに、第１の蓋部の第１の開口部に対する閉鎖状態を保持させると共に、第１の蓋部と第２の蓋部のそれぞれの開閉を連動させる連動部と、前記第２の蓋部の閉鎖状態を保持させるロック部と、前記ロック部のオン／オフを行うと共に、第２の蓋部を開閉
する把手部を備えている。
前記ロック部は、前記第２の蓋部に回転自在に取付けられたロック本体と、このロック本体に取付けられ、且つ、換気かまち側に係着される係着部と、前記第２の蓋部が開放状態にあるときに、前記ロック本体の回動を規制する規制部からなる（以上、請求項１の発明）。
【０００７】
前記ロック部と把手部は、一体のものでもよいし、別体のものでもよい。
即ち、把手部とロック部とが物理的に一体のものとして構成されていてもよいし、また、把手部とロック部とが物理的に別体のものとして構成され、機能的に把手部の操作により前記ロック部のオン／オフが行われるようにしてもよい。
【０００８】
前記第２の蓋部と把手部は、一体のものでもよいし、別体のものでもよい。
即ち、把手部と第２の蓋部とが物理的に一体のものとして構成されていてもよいし、また、把手部と第２の蓋部とが物理的に別体のものとして構成され、機能的に把手部の操作により前記第２の蓋部の開閉が行われるようにしてもよい。
【０００９】
前記ロック部の室外側の端面は、第２の蓋部が閉鎖状態のときに前記第１の蓋部を圧着すると共に、その圧着個所は前記ロック部のロック力を増す位置であることを特徴とする（請求項２の発明）。
【００１０】
前記ロック部の第１の蓋部に対する圧着個所は、前記ロック部の回動中心である支持軸心を通る仮想線が前記支持軸心を中心にしてロック部を締付ける方向に傾斜することを想定した場合に、その締付方向に位置していることを特徴とする（請求項３に記載の発明）。
かかるロック部により、換気装置に対しその室外側から加えられる外力、例えば強風等が第１の蓋部を開けるのを防ぎ、水密性、気密性が確保できる。
【００１１】
上記発明において、第１及び第２の各蓋部が開放される場合に、第１及び第２の各開口部間には防虫ネットのみが介在し、他の部材を介在させないこととして、外気をダイレクトに室内側に導入できるようにしている（請求項４に記載の発明）。
【００１２】
本発明の換気装置は、建物の採風、換気、通気が必要な任意の開口場所に設けることが可能であって、その開口として例えば扉、窓、壁面等の開口がある（請求項５乃至請求項７に記載の発明）。
また開口が窓の場合、窓の種類に限定されるものでもなく、ＦＩＸ窓、引違い窓、片引き窓、たてすべり出し窓、開き窓、上げ下げ窓、その他あらゆる種類の窓が含まれる。
これらの窓の場合、換気装置の配置位置は、窓枠と別体のもの、窓枠と一体のものにしてもよい。
【発明の効果】
【００１３】
前記換気かまちからなる第１及び第２の開口部により、大容量の換気を実現させ、また、第１の開口部と第２の開口部はそれぞれ略平行的に、且つ、略直線上に位置させることにより、或いは第１及び第２の各開口部間には防虫ネットのみを介在させることで、外気をダイレクトに室内側に導入できるようにし、外気が室内の人の肌に触れる場合に生じる爽快感、清涼感、自然感を感得することができる大容量の換気を可能とする換気装置となっている。
【発明を実施するための最良の形態】
【００１４】
〔実施形態その１〕
本発明に係る換気装置の実施形態を図面に基いて説明する。
図１Ａ乃至図１Ｃは実施態様に係る換気装置を配置した各窓の正面図、図２は同窓の横断面図、図３は同窓の縦断面図である。
図４は実施態様に係る換気装置の閉鎖状態を示した横断面図、図５は同換気装置の開放状態を示した横断面図、図６は図４及び図５に対応する部材を示した同換気装置の縦断面図、図７は同換気装置の要部斜視図、図８は同換気装置の要部分解斜視図、図９は同換気装置のさらに詳細な要部分解斜視図である。
【００１５】
図１Ａ及び図１Ｂに図示した換気装置はＦＩＸ窓の室内側正面の左側に配置されており、換気装置を構成する各構成部材は右勝手の構成となっているが、図１Ｃのように換気装置をＦＩＸ窓の右側に配置する場合には、換気装置の各構成部材は左勝手の構成となっている。図２以下に示された各換気装置は右勝手の構成のものであり、これを左勝手の構成に代表させて説明する。また、図示しないが、換気装置をＦＩＸ窓の中央に配置することもできる。
なお、上記各図及び後述の各図において、同一の構成は同一の符号を付して重複した説明を省略する。
【００１６】
実施形態に係る換気装置１は、図１乃至図３に示したように、換気かまち１０により室外側の第１の開口部２と室内側の第２の開口部３が形成されると共に、これらの開口部２、３は室内外において略平行的に且つ直線的な位置に配置され、これら各開口部２、３の開閉は、把手部４の操作によるロック部５のオン／オフと、第１の蓋部６と第２の蓋部７を連動させる連動部８によって行われる。
かかる構造により、第１の蓋部６と第２の蓋部７が開放されると、第２の開口部３から大容量の外気が室内に直接進入して、人の肌に触れることで、爽快感、清涼感、自然感を感得させることができる。
また、容量が大きい換気を限られた換気かまち１０の見付幅Ｗ（図２参照）の制約のもとで実現させることで、窓等に配置しても違和感、圧迫感がなく、さらに室内側から見える換気装置１の構成は把手部４と第２の蓋部７のみとなり、スマートな換気装置１となっている。
【００１７】
前記換気装置はより詳細には図４乃至図６に示したように、換気かまち１０と、この換気かまち１０の上下かまち１１、１２及び左右かまち１３、１４により室外側に形成される第１の開口部２と、この第１の開口部２を開閉する第１の蓋部６と、前記換気かまち１０の上下かまち１１、１２及び左右かまち１３、１４により室内側に形成される第２の開口部３と、この第２の開口部３を開閉する第２の蓋部７と、この第２の蓋部７が閉鎖状態のときに、第１の蓋部６の第１の開口部２に対する閉鎖状態を保持させると共に第１の蓋部６と第２の蓋部７の開閉を連動させる連動部８と、前記第２の蓋部７の閉鎖状態を保持させるロック部５と、前記ロック部５のオン／オフを行うと共に第２の蓋部７を開閉させる把手部４を備える。
【００１８】
前記換気かまち１０の上下のかまち１１、１２及び左右のかまち（以下、たてかまちと総称する）１３、１４には、それぞれ対向する方向に突出する突出片１１０，１２０、１３０、１４０がそれぞれ形成され、各突出片１１０，１２０、１３０、１４０の各外周により前記第１の開口部２が形成されている。
前記各突出片１１０，１２０、１３０、１４０の各先端には、室内側に凹状のサヤが設けられ、このサヤに水密材１１１，１２１、１３１、１４１が取付けられている。これらの水密材１１１，１２１、１３１、１４１に前記第１の蓋部６が圧着されることで、水密性、気密性が保たれるようになっている。
【００１９】
前記第２の開口部３は、前記第１の開口部２が水密性等の確保のために各突出片１１０，１２０、１３０、１４０の各外周により構成されていることとは異なり、上下のかまち１１、１２及びたてかまち１３，１４の室内側端を利用して、換気かまち１０の高さ幅と見付幅Ｗに略等しい幅を備えている。
【００２０】
前記第２の開口部３の室内側端には図４及び図５等に図示されているように、Ｌ字状の部材５０が取付けられている。これは後述するローラーピン５１と共に、第２の蓋部７のロック部５を構成するローラーピン受けである。
また、前記たてかまち１４の前記突出片１４０より室内側の側面には、前記第１の蓋部６の開閉軸となる軸受け丁番１４２が突設されている。
【００２１】
前記第１の開口部２と第２の開口部３間には、防虫ネット１６のみが介在し、他の部材は存在しないので外気を直接的に、スムースに室内に導入することができる。
【００２２】
前記換気かまち１０のさらに室外側には、図４及び図５に示したように化粧部９を配置することが好ましい。
この化粧部９は、前記第１の開口部２の換気面積に影響を与えることなく、雨仕舞性、且つ、防犯性に適合するように形成されており、前記第１の開口部２の正面の位置に中央開口９０と、その左右の側面開口９１、９２と、中央開口９０の室内側に視線を遮ることができる雨仕舞板９３を設けている。
なお、これら中央開口９０及び側面開口９１、９２は、図示しないが換気かまち１０の上下かまち１１、１２間に亘って形成されている。
このように形成された化粧部９は、上下かまち１１、１２とたてかまち１３、１４の各突出片１１０，１２０、１３０、１４０により形成される換気かまち１０の凹部１５に固定されている。
【００２３】
前記把手部４は、図６及び図９等に図示したように、把手本体４０と、この把手本体４０の上下端部に固定されている上下のブラケット４１、４２と、これらの上下のブラケット４１、４２に設けられ、且つ、前記第２の蓋部７に回動自在に支持される支持軸心（回動軸心）４３からなっている。
【００２４】
前記把手本体４０は、円柱状に形成され、その長さは前記第２の開口部３の高さ寸法と略同一となっている。
前記上下のブラケット４１、４２は、それぞれ同一に構成されているので、上ブラケット４１についてその構成を説明する。
上ブラケット４１は、前記把手本体４０と第２の蓋部７との間の手掛けとなる操作スペースを設定する設定片部４１０と、把手部４とロック部５とを一体のものに形成させるための一体部４１１からなっており、この一体部４１１を介して把手本体４０の操作により前記ロック部５のオン／オフが行われるようになっている。
【００２５】
前記ロック部５は、図６等のように前記ローラーピン受け５０、５２と、これに係着される係着部としてのローラーピン５１、５３と、これらローラーピン５１、５３を取付けるために、前記上下のブラケット４１、４２の各一体部４１１、４２１に形成されたロック本体としての取付片５４、５５と、前記第２の蓋部７が開放状態にあるときに、上下のブラケット４１、４２の回動に伴い回動する前記取付片５４、５５を規制する規制部としてのトリガー５６、５７（図５参照）とからなっている。
なお、ローラーピン受け５０、５２、ローラーピン５１、５３及び取付片５４、５５は、それぞれ同一に構成されているので、ローラーピン受け５０、ローラーピン５１及び取付片５４の構成のみを説明する。
【００２６】
前記ローラーピン５１は、取付片５４に形成された軸に回転自在に取付けられ、前記ローラーピン受け５０に沿って転動されるものとして、ロックのオン／オフを円滑に行えるものであるが、前記係着部の構成としてはローラーピン５１に限定されるものではなく、前記ローラーピン受け５０に沿って滑るような部材（摩擦抵抗が小さい部材）でもよい。
前記取付片５４の室外側の端面５４０は、第２の蓋部７が閉鎖状態のときに前記第１の蓋部６を圧着するようになっている。
これに加えて、前記端面５４０の前記第１の蓋部６に対する圧着個所は、図４等に示されているように、前記支持軸心４３に対し、前記ロック部５を解除させる方向とは逆方向のロック力を増すことができる位置になっている。
即ち、前記ロック部５の回動中心である前記支持軸心４３から閉鎖状態にある第２の蓋部７に対して垂直に延びる線を仮想した場合に、その仮想線Ｌが前記支持軸心４３を中心にしてロック部５を解除させる方向に傾斜した場合には、ロックが解除され、その仮想線が前記支持軸心４３を中心にしてロック部を締付ける方向に傾斜した場合には、ロックが強まる。前記端面５４０の圧着個所は、その仮想線Ｌの締付方向に位置している。
【００２７】
前記トリガー５６は前記ローラーピン５１に対応する位置の前記第２の蓋部７側に出没可能に配置されているもので、図４及び図５に示したように第２の蓋部７が閉鎖状態にあるときには、ローラーピン受け５０に圧接され、第２の蓋部７が開放状態にあるときには、ローラーピン受け５０の圧接から解放され、上ブラケット４１の回動に伴い回動する取付片５４の回動を規制するようになっている。
【００２８】
第１の蓋部６は、図９等に図示されるように前記第１の開口部２に圧着される被圧着部６０と、この被圧着部６０に外力としての圧着力を伝達する伝達部６１と、前記軸受け丁番１４２と共に、前記被圧着部６０を回動自在に支持する丁番６２からなる。
【００２９】
前記被圧着部６０は、前記第１の開口部２の四周の水密材に圧着されるサイズの板状の部材で構成され、例えば中空部を備えた形材からなっている。
【００３０】
前記伝達部６１は、前記被圧着部６０の一端をその長手方向に沿うように延べ出し、さらに略Ｌ字状に成形したＬ字本体６２Ｌと、このＬ字本体６２Ｌに取付けられると共に前記連動部８を回動自在に取付けるブロック部６３とからなる。
前記Ｌ字本体６２ＬのＬ字底辺は、上述の図４に示したように、ロック部５の前記端面５４０が当接する個所であって、第２の蓋部７のロック時に前記端面５４０の圧着力がＬ字本体６２Ｌを介して被圧着部６０に伝達されるようになっている。
なお、前記Ｌ字本体６２Ｌには、図９に示したように前記連動部８の回動の軌跡に沿って溝６２０が形成されている。
【００３１】
前記ブロック部６３は、前記Ｌ字本体６２Ｌの内側に固定されるもので、第１の蓋部６と第２の蓋部７の円滑な開閉動作に必要な連動部８の数に対応させて、必要な個所及び個数が固定される。
【００３２】
前記丁番６２は、前記被圧着部６０の室内側の上端と下端にそれぞれ形成され、前記軸受け丁番１４２によって支持され、回動自在に取付けられている。
前記丁番６２の管部はその一部が切欠けられており、その回動に従い、切欠きが前記軸受け丁番１４２の切欠きに臨んだ場合に、前記軸受け丁番１４２に対して着脱自在に構成されている（図１０Ｆ参照）。
【００３３】
第２の蓋部７は、前記第２の開口３を覆うことができる板状の本体７０からなり、図６のようにその本体７０の裏面には前記連動部８の他端を回動自在に取付ける連動軸心７１と、把手部４を回動自在に取付ける把手取付部７２（前記支持軸心４３）と、前記本体７０の回動を規制するストッパー７３（図１０Ｅ参照）が配置されている。
【００３４】
前記本体７０は、室内側面が化粧面となっており、化粧面から裏面にかけて把手部４の上下ブラケット４１、４２の回動に対応できる切欠き７００が設けられている。
【００３５】
前記連動軸心７１は、前記連動部８の他端を取付けるピンと、このピンの支持片等で構成されている。
また、前記把手取付部７２は、把手部４のブラケット４１、４２を回転自在に取付けることができるヒレ状片等により構成されている。
【００３６】
前記連動部８は、前記第１の蓋部６の前記被圧着部６０の板状部材に対し略平行に延びる平行片８０と、その平行片８０の一端から略９０度に第２の蓋部７の方向に延びる延出片８１からなるＬ字状の部材で構成され、平行片８０の端部が前記ブロック部６３に回動可能に取付けられ、延出片８１の端部が前記連動軸心７１により第２の蓋部７に回動可能に取付けられている。
かかる連動部８の役割は２つあり、その１つは第２の蓋部７の閉鎖状態のときにロック部５のロック力が前記延出片８１及び平行片８０を介して第１の蓋部６に伝達されること、その２つは第１の蓋部６と第２の蓋部７の開閉を連動させることである。
前記連動部８の数は、この実施形態のように４本に限定されるわけではなく、第１の蓋部６と第２の蓋部７の円滑な回動動作に必要な個所に、必要な個数が固定されればよい。
【００３７】
前記連動軸心７１は、前記ロック部５の支持軸心４３に近接した位置となっている。
即ち、前記連動軸心７１の位置と、前記支持軸心４３の位置は、前記各蓋部６、７が閉じられた状態において第２の蓋部７の前記本体７０と略平行な位置である。
【００３８】
以上のように構成された換気装置１の見付幅Ｗは例えば約１００ミリメートルに、また第２の開口部３の横幅は例えば約４０ミリメートルに構成することで、容量が大きい換気を限られた換気かまち１０の見付幅Ｗ（図２参照）の制約のもとで実現させることができる。
【００３９】
次に前記換気装置１の使用方法を説明する。
「開放動作」
前記第１及び第２の各開口部２、３を開放するには、把手部４の把手本体４０をそのままを室内側に引出せばよい。
開放動作のメカニズムを、換気装置１の横断面図の図１０Ａ〜図１０Ｅに基づいて説明する。
図１０Ａは換気装置１の閉鎖状態（ロック状態）を示したもので、前記ローラーピン５１、５３が各受け５０、５２に係着されている。
かかる閉鎖状態は、上述のように前記連動部８による第１の蓋部６に対する圧着力、前記ロック部５の取付片５４、５５の各端面５４０、５５０による前記第１の蓋部６に対する圧着力によって補強されている。
【００４０】
このロック状態から、前記把手本体４０を手前に引くと、上下ブラケット４１、４２が各支持軸心４３を中心に時計方向に回転し、図１０Ｂ〜図１０Ｃのように前記ローラーピン５１、５３が各受け５０、５２の係着から離され、ロックが解除される。このとき、第２の蓋部７が開放状態に移行するが、同時に連結部８に連結されている第１の蓋部６も開放状態に移行する。
また、図１０Ｂ〜図１０Ｃのように前記第２の蓋部７が開放状態に移行するに従い、前記第２の蓋部７に収納されていたトリガー５６、５７が除徐に迫り出して、前記ローラーピン５１、５３に当接する。
【００４１】
そのまま把手本体４０を室内側に引出すと、図１０Ｄ〜図１０Ｅに示したように第２の蓋部７と連結部８に連結されている第１の蓋部６が開放され全開状態に移行する。
このとき、前記トリガー５６、５７が前記ローラーピン５１、５３に当接していることから、前記上下ブラケット４１、４２が各支持軸心４３を中心に回動することはなく、従って把手本体４０も回転が規制され、閉鎖状態への移行の準備が整えられる。
さらに図１０Ｅに示したように、第１の蓋部７がストッパー７３に当った段階で完全に全開状態に移行する。
【００４２】
尚、図１０Ｆのように、第１の蓋部６から連動部８をはずし、さらに第２の蓋部７を回転させると第１の蓋部６の丁番６２が丁番１４２から外れ、防虫ネット１６等のメンテナンスが容易である。
【００４３】
「閉鎖動作」
前記把手本体４０を換気かまち１０に押し込み、一旦、第２の蓋部７が換気かまち１０に当った段階で、さらに前記把手本体４０を押し込むようにすればよい。
閉鎖動作のメカニズムを、換気装置１の横断面図の図１１Ａ〜図１０Ｆに基づいて説明する。
図１１Ａは、上述の図１０Ｅと同様の全開状態を示したもので、この状態では上述のようにトリガー５６、５７により把手本体４０の回転が規制されている。よって、閉鎖の際に前記取付片５４、５５の端面５４０、５５０等が前記受け５０等に衝突することを避けることができ、閉鎖状態への移行の準備が完了している。
そして、把手本体４０を第２の開口部３に押し込むようにすると、図１１Ｂ及び図１１Ｃのように、第２の蓋部７は第１の蓋部６の軸（丁番６２）を中心に、第１の蓋部６と共に回転される。
【００４４】
図１１Ｃのようにトリガー５６、５７が各受け５０、５２に当った段階で、さらに把手本体４０を押し込むようにすると、トリガー５６、５７はそれぞれ除徐に収納され、その結果、前記ローラーピン５１、５３の規制が除徐に解除され、同時に把手本体４０の上下ブラケット４１、４２が各支持軸心４３を中心に回動可能になっていく。
【００４５】
このとき、さらに把手本体４０を押し込むようにすると、図１１Ｄのように上下ブラケット４１、４２が各支持軸心４３を中心に回動し、前記ローラーピン５１、５３が各受け５０、５２に係着可能となり、図１１Ｅのように前記ローラーピン５１、５３が各受け５０、５２に係着され、ついには図１１Ｆのようにロックされる。
【００４６】
上記換気装置１によれば、次のような作用効果を奏する。
ａ．  換気かまち１０の枠材により、第１の開口部２と第２の開口部３を形成したことで、特に第２の開口部３は換気かまち１０の見付幅Ｗに略等しい開口幅となり、換気の大容量化が可能な換気装置１となっている。
ｂ．  換気かまち１０の第１と第２の開口部２、３が、それぞれ窓等の室外側面に対して、略平行に、且つ、略直線的な位置に配置されることで、各開口部２、３からはダイレクトに外気が室内に導入され、室内の人の肌に触れる場合に生じる爽快感、清涼感、自然感を感得することができる。
ｃ．  第１の開口部２と第２の開口部３間に介在するものは防虫ネット１６のみであり、上述の爽快感、清涼感、自然感が阻害されることはない。
ｄ．  室内側から視界に入る部材は第２の蓋部７と把手本体４０のみであり、居住者等に対する圧迫感や煩雑さを惹起させることがなく、スマートな換気装置１となっている。
ｅ．  換気装置１の見付幅Ｗは例えば約１００ミリメートルに、また第２の開口部３幅は例えば約４０ミリメートルに構成することで、どのような窓等に配置しても居住者等に対する圧迫感等を与えることがない、スマートな換気装置１となっている。
ｆ．  第１と第２の蓋部６、７を開閉するための前記把手本体４０は、前記第２の開口部３に略等しい高さ寸法であり、操作位置が特定個所に限定されていないため、操作し易い換気装置１となっている。
ｇ．  ロック部５は、前記把手本体４０を手前に引くことでオフとされ、前記把手本体４０を換気かまち１０に押し込むことがオンとなり、特別な締り金具の操作を必要とすることなく、使い勝手がよい換気装置１となっている。特に、前記把手本体４０を換気かまち１０に押し込む際には、一旦、第２の蓋部７が換気かまち１０に当接した段階から、さらに前記把手本体４０を換気かまち１０側に押し込むという、２段階の操作性により、ロックの手ごたえ感を感得することができる。
ｈ．  ロック部５による閉鎖状態は、ロック部の取付片５４の端面５４０等が前記第１の蓋部６を圧着し、その圧着個所がロック部５のロック力を増す位置であることから、ロックがより強固なものとなる。よって、前記第１の蓋部６に風雨等の外力が作用する場合にはその外力に比例して閉鎖状態が強固なものになる。
ｉ．  前記第１の蓋部６に対する外力が強風等に起因する場合にも、水密性、気密性が確保できる。
ｊ．  第２の蓋部７の閉鎖状態のときにロック部５のロック力が前記延出片８１及び平行片８０を介して第１の蓋部６に伝達され、閉鎖状態が補強されている。
【００４７】
ｋ．  前記防虫ネット１６のメンテナンスは、第１の蓋部６の着脱が自在であることから容易である。
ｌ．  化粧部９を設けることにより、換気中でも不審者の視線が室内に侵入し難い換気装置１となっている。
ｍ．  この実施形態のように、各開口部２、３が長手方向に延びるタテ型の前記換気装置１では、冷たい空気と暖かい空気を循環させる時に効果的である。
ｎ．  第１の開口部２に対して第１の蓋部６により室内の水密性、気密性が確保され、またその室内側の第２の開口部３を塞ぐ第２の蓋部７により、第１の蓋部６と第２の蓋部７間に空気層を形成することができ、室内の保温性が確保される。
【００４８】
〔実施形態その２〕
本発明に係る換気装置の実施形態その２を図面に基いて説明する。
図１２乃至図１４は窓に配置した換気装置の閉鎖状態を示した横断面図、同換気装置の開放状態を示した横断面図、同換気装置の縦断面図である。
図１５乃至図１８は、換気装置の斜視図、分解斜視図、同換気装置の詳細な分解斜視図、同換気装置のさらに詳細な分解斜視図である。
【００４９】
本実施形態に係る換気装置１Ａは、換気かまち１０と、この換気かまち１０の上下かまち１１、１２及び左右かまち１３、１４により室外側に形成される第１の開口部２と、この第１の開口部２を開閉する第１の蓋部６と、前記換気かまち１０の上下かまち１１、１２及び左右かまち１３、１４により室内側に形成される第２の開口部３と、この第２の開口部３を開閉する第２の蓋部７と、この第２の蓋部７が閉鎖状態のときに、第１の蓋部６の第１の開口部２に対する閉鎖状態を保持させると共に第１の蓋部６と第２の蓋部７の開閉を連動させる連動部８と、前記第２の蓋部７の閉鎖状態を保持させるロック部５と、前記ロック部５のオン／オフを行うと共に第２の蓋部７を開閉させる把手部４を備える。
【００５０】
かかる換気装置１Ａの構成は、前記換気装置１の構成と共通しているが、次の点で相違している。
前記換気装置１は、その把手部４とロック部５とを物理的に一体のものとして構成し、また、その把手部４と第２の蓋部７とが物理的に別体のものとして構成され、機能的に把手部４の操作により前記第２の蓋部７の開閉が行われる。
一方、換気装置１Ａは、その把手部４とロック部５とが物理的に別体のものとして構成され、機能的に把手部４の操作により前記ロック部５のオン／オフが行われる。またその把手部４と第２の蓋部７とが物理的に一体のものとして構成されている。
よって、以下の記述において換気装置１と換気装置１Ａが共通している構成については、その説明を省略し、相違している構成を中心に説明する。
【００５１】
前記把手部４は、図１２及び図１３に示したように、第２の蓋部７の一端をその長手方向に略横開きコ字状に成形して、その横開から手先を架ける手架けとして構成されている。この前記把手部４の高さ寸法は、図１４に示したように、第２の開口部２の高さ寸法と略同一である。
【００５２】
前記ロック部５は、図１２乃至図１４並びに図１７及び図１８に示したように、ローラーピン受け５０、５２と、これらに係着される係着部としてのローラーピン５１、５３と、これらローラーピン５１、５３を取付けるためのロック本体としての取付金具５４Ａ、５５Ａと、前記第２の蓋部７が開放状態にあるときに、回動可能な状態にある前記取付金具５４Ａ、５５Ａの回動を規制する規制部としてのトリガー５６Ａ、５７Ａとからなっている。
ここでも、取付金具５４Ａ、５５Ａ及びトリガー５６Ａ、５７Ａは、それぞれ略同一に構成されているので、取付金具５４Ａ、及びトリガー５６Ａを、取付金具５５Ａ及びトリガー５７Ａに代表させて説明する。
【００５３】
前記取付金具５４Ａは、図１８のようにローラーピン５１を回転可能に取付ける上下取付片５４１、５４２と、第２の蓋部７の裏面に配置されている長孔部材７４の長孔に沿って移動可能なピン５４３と、第２の蓋部７の裏面に配置されている取付枠７５に回動可能に支持される支持軸心４３Ａ（図１２等参照）よりなっている。
前記トリガー５６Ａは、前記ローラーピン５１に対応する位置で、且つ、前記第２の蓋部７の裏面に出没可能に配置されている。そして図１２及び図１３に示したように第２の蓋部７が閉鎖状態にあるときには、ローラーピン受け５０に圧接され、第２の蓋部７が開放状態にあるときには、ローラーピン受け５０の圧接から解放され、取付金具５４Ａの回動を規制するようになっている。
【００５４】
このロック部５においても、取付金具５４Ａの端面５４０が前記第１の蓋部６を圧着し、その圧着個所がロック部５のロック力を増す位置であることから、ロックがより強固なものとなり、さらに前記第１の蓋部６に外力が作用する場合にはその外力に比例して閉鎖状態が強固なものになる。
【００５５】
前記第２の蓋部７は、図１３のように前記第２の開口３を覆うことができる本体７０Ａと、この本体７０Ａを軸７６を介して同軸状に取付ける一対の前記取付枠７５からなり、各取付枠７５にはそれぞれ前記連動部８の一端を回動自在に取付ける各連動軸心７１Ａ及び各取付金具５４Ａ、５５Ａを回動自在に取付ける前記各支持軸心４３Ａを備えている。
この第２の蓋部７においても、換気装置１と同様にロック部５のロック力が前記連動部８を介して第１の蓋部６に伝達され、閉鎖状態が補強されている。
【００５６】
前記本体７０Ａは、前記把手部４との意匠的な調和を図るために中空状に成形され、室内側面が化粧面となっており、その裏面に前記長孔部材７４が固定されている。
その他の構成は、上記換気装置１と同様であり、よって同様の作用効果を奏することができる。
【００５７】
次に前記換気装置１Ａの使用方法を説明する。
「開放動作」
前記第１及び第２の各開口部２、３を開放するには、把手部４をそのまま手前に回動させればよい。
開放動作のメカニズムを、換気装置１Ａの横断面図の図１９Ａ〜図１９Ｅに基づいて説明する。
【００５８】
図１９Ａは換気装置１Ａの閉鎖状態を示したもので、前記ローラーピン５１、５３がその受け５０、５２に係着されている。
このロック状態から、前記把手部４を反時計方向に回すと、前記各長孔部材７４の長孔に組み込まれている各ピン５４３の移動と共に、取付金具５４Ａ、５５Ａが各支持軸心４３Ａを中心に時計方向に回転し、図１９Ｂ〜図１９Ｃのように前記ローラーピン５１、５３が各受け５０、５２の係着から離され、ロックが解除される。
また、取付金具５４Ａ、５５Ａが各支持軸心４３Ａを中心に時計方向に回転すると共に、前記トリガー５６Ａ、５７Ａが除徐に迫り出して、前記ローラーピン５１、５３に当接する。
そして、前記各長孔部材７４の各ピン５４３の移動が規制される時点（図１９Ｃ）で、前記把手部４の回転力が各取付金具５４Ａ、５５Ａから前記各取付枠７５、連動部８に伝達され、第２の蓋部７が開放状態の移行と共に、第１の蓋部６も開放状態に移行する。
【００５９】
そのまま把手部４を回動させると、図１９Ｄ〜図１９Ｅに示したように、第２の蓋部７と連結部８に連結されている第１の蓋部６が開放され全開状態に移行する。
このとき、前記トリガー５６Ａ、５７Ａが前記ローラーピン５１、５３に当接していることから、前記取付金具５４Ａ、５５Ａが各支持軸心４３Ａを中心に回動することはなく、前記換気装置１と同様に、閉鎖状態への移行の準備が整えられる。
【００６０】
「閉鎖動作」
前記把手部４を時計方向に回転させ、一旦、第２の蓋部７の各取付枠７５が換気かまち１０に当った段階で、さらに前記把手部４を押し込むようにすればよい。
閉鎖動作のメカニズムを、換気装置１Ａの横断面図の図２０Ａ〜図２０Ｆに基づいて説明する。
図２０Ａは、上述の図１９Ｅと同様の全開状態を示したもので、閉鎖状態への移行の準備が整えられている。
よって、把手部４を第２の開口部３に押し込むようにすると、図２０Ｂ及び図２０Ｃのように、第２の蓋部７の本体７０Ａ、各取付枠７５はその軸７６を中心に、第１の蓋部６と共に回転される。
【００６１】
図２０Ｃのようにトリガー５６Ａ、５７Ａが受け５０、５２に当った段階で、さらに把手部４を押し込むようにすると、トリガー５６Ａ、５７Ａはその収納部に除徐に収納され、その結果、前記ローラーピン５１、５３の規制が除徐に解除され、前記取付金具５４Ａ、５５Ａが各支持軸心４３Ａを中心に回動可能になっていく。
【００６２】
このとき、さらに把手部４を押し込むようにすると、図２０Ｄのように取付金具５４Ａ、５５Ａが各支持軸心４３Ａを中心に回動し、一方、前記各長孔部材７４の長孔を各ピン５４３が移動する。
そして前記ローラーピン５１、５３が各受け５０、５２に係着可能となり、さらに把手部４を押し込むようにすると、図２０Ｅのように前記ローラーピン５１、５３が受け５０、５２に係着され、ついには図２０Ｆのようにロックされる。
【００６３】
以上のように構成される各換気装置１Ａは、換気装置１と同様な作用効果（上記ａ〜ｎ）を奏すると共に、図２１Ａ〜、図２１Ｃにおいて窓に換気装置１Ａを配置した場合の室内側正面図のように、居住者に圧迫感を与えることなく、スマートな換気装置となっている。
【００６４】
以上のように構成された換気装置１、１Ａは、ＦＩＸ窓の左右に配置されたものであったが、換気装置１、１Ａを取付ける窓はＦＩＸ窓に限られず、どのような種類の窓でもよい。
また、ドアに取付けたり、壁面、例えばカーテンウオールに設けてもよい。
また、この換気装置１、１Ａは、新設の窓等に配置するのみならず既設の窓等に配置してもよし、前記換気装置１、１Ａと窓等を上記のように別体ではなく、一体的に成形してもよい。
【図面の簡単な説明】
【００６５】
【図１】Ａ乃至Ｃ  実施態様に係る換気装置を配置した各窓の正面図、
【図２】窓に換気装置を配置した場合の横断面図、
【図３】同縦断面図、
【図４】実施態様に係る換気装置の横断面図、
【図５】同換気装置の開放状態の横断面図、
【図６】同換気装置の縦断面図、
【図７】同換気装置の要部斜視図、
【図８】同換気装置の要部分解斜視図、
【図９】同換気装置のさらに詳細な要部分解斜視図、
【図１０】Ａ乃至Ｆ  同換気装置の動作説明図、
【図１１】Ａ乃至Ｆ  同換気装置の動作説明図、
【図１２】別例の実施形態にかかる換気装置の横断面図、
【図１３】同換気装置の開放状態の横断面図、
【図１４】同換気装置の縦断面図、
【図１５】同換気装置の要部斜視図、
【図１６】同換気装置の要部分解斜視図、
【図１７】同換気装置の要部分解斜視図、
【図１８】同換気装置の要部分解斜視図、
【図１９】Ａ乃至Ｅ  同換気装置の動作説明図、
【図２０】Ａ乃至Ｆ  同換気装置の動作説明図、
【図２１】Ａ乃至Ｃ  同換気装置を配置した各窓の室内側正面図。
【符号の説明】
【００６６】
１  １Ａ  換気装置                      １０  換気かまち
２  第１の開口部                        ３  第２の開口部
４  把手部                              ５  ロック部
６  第１の蓋部                          ７  第２の蓋部
８  連動部
９  化粧部
１１、１２  上下かまち                  １３、１４  左右かまち
１１０，１２０、１３０、１４０  突出片
１１１，１２１、１３１、１４１  水密材
１５  凹部
１６  防虫ネット
１４２  軸受け丁番
４０  把手本体                          ４１、４２  上下のブラケット
４３  ４３Ａ  支持軸心（回動軸心）      ４１０  設定片部
４１１  一体部
５０  ローラーピン受け                  ５１  ローラーピン
５４、５５  取付片                      ５４Ａ、５５Ａ  取付金具
５６、５７  ５６Ａ、５７Ａ  トリガー    ５４０  ５５０  端面
５４１、５４２  上下取付片              ５４３  ピン
６０  被圧着部                          ６１  伝達部
６２  丁番                              ６２Ｌ  Ｌ字本体
６３  ブロック部                        ６２０  溝
７０  ７０Ａ  本体                      ７１  ７１Ａ  連動軸心
７２  把手取付部  （前記支持軸心４３）  ７３  ストッパー
７４  長孔部材                          ７５  取付枠
７００  切欠き
８０  平行片                            ８１  延出片
９０  中央開口                          ９１、９２  側面開口
９３  雨仕舞板
【図１】
0004976217.tif 000002
【図２】
0004976217.tif 000003
【図３】
0004976217.tif 000004
【図４】
0004976217.tif 000005
【図５】
0004976217.tif 000006
【図６】
0004976217.tif 000007
【図７】
0004976217.tif 000008
【図８】
0004976217.tif 000009
【図９】
0004976217.tif 000010
【図１０】
0004976217.tif 000011
【図１１】
0004976217.tif 000012
【図１２】
0004976217.tif 000013
【図１３】
0004976217.tif 000014
【図１４】
0004976217.tif 000015
【図１５】
0004976217.tif 000016
【図１６】
0004976217.tif 000017
【図１７】
0004976217.tif 000018
【図１８】
0004976217.tif 000019
【図１９】
0004976217.tif 000020
【図２０】
0004976217.tif 000021
【図２１】
0004976217.tif 000022